(57)【要約】【課題】スクリーン昇降装置において、スクリーンの摺動性能を向上させること。【解決手段】スクリーン１０の左右端としての端部１１ｃが、断面が略円形であるワイヤなどの線材１２を包み込むよう折り返されて縫製されている。このことにより、従来の抜け止め部よりも摩擦係数が小さい素材をスクリーンに採用すれば、従来のような抜け止め部がガイドレールの内部に接触する場合と比べて、スクリーンの摺動性能を向上させることができる。【選択図】図２
2006063739.tif 000002
【特許請求の範囲】
【請求項１】
構造物の開口部を閉鎖可能なスクリーンと、
前記スクリーンを前記開口部に沿って案内する一対のガイドレールと、
を備えるスクリーン昇降装置であって、
前記ガイドレールは、
前記スクリーンの左右端を内包した状態で前記開口部に沿って案内するガイド溝を有する内レールと、
前記内レールを収納して前記構造物に固定される外レールと、
を備え、
前記ガイド溝は、その入口の開口幅がその内部よりも狭く形成されており、
前記スクリーンの左右端には、その先端部を折り返すことにより前記ガイド溝から前記スクリーンの左右端が外れるのを防止するための抜け止め部が形成されていること
を特徴とするスクリーン昇降装置。
【請求項２】
請求項１に記載のスクリーン昇降装置において、
前記抜け止め部には線状物が内包されていることを特徴とするスクリーン昇降装置。
【請求項３】
構造物の開口部を閉鎖可能なスクリーンと、
前記スクリーンを前記開口部に沿って案内する一対のガイドレールと、
を備えるスクリーン昇降装置であって、
前記スクリーンは、その下端付近に錘を備えており、
前記錘は、その内部に追加用錘を収納可能な追加錘収納部を有すること
を特徴とするスクリーン昇降装置。
【請求項４】
請求項３に記載のスクリーン昇降装置において、
前記錘は、錘本体と、前記錘本体を被覆する錘本体被覆部とを有し、
前記錘本体被覆部は前記錘本体に対して着脱可能に構成されており、
前記追加用錘部は、前記錘本体と前記錘本体被覆部との間に形成されていること
を特徴とするスクリーン昇降装置。
【請求項５】
構造物の開口部を閉鎖可能なスクリーンと、
前記スクリーンを前記開口部に沿って案内する一対のガイドレールと、
を備えるスクリーン昇降装置であって、
前記スクリーンは、利用者が当該スクリーンを上方向へ移動させるための取手を備え、
前記取手は、前記スクリーンと同一素材の生地を当該スクリーンに対して縫製することにより袋状に形成されていること
を特徴とするスクリーン昇降装置。
【請求項６】
請求項１〜請求項５の何れかに記載のスクリーン昇降装置において、
前記取手は、前記開口部を閉鎖した状態にある前記スクリーンの左右方向の中央付近における利用者が屈んだ際に掴みやすい位置に形成されていることを特徴とするスクリーン昇降装置。
【請求項７】
構造物の開口部を閉鎖可能なスクリーンと、
前記スクリーンを前記開口部に沿って案内する一対のガイドレールと、
前記スクリーンを収納可能なスクリーン収納部と、
前記スクリーン収納部から引き出されたスクリーンに当接することによりそのスクリーンの進行方向を変更させ、前記一対のガイドレールへ案内するスクリーン支持部と、
を備えるスクリーン昇降装置であって、
前記スクリーンは、複数のシート材のうち下側のシート材の上端部が、上側のシート材の下端部における前記スクリーン支持部とは反対側に位置するよう縫製されて構成されていること
を特徴とするスクリーン昇降装置。
【発明の詳細な説明】
【技術分野】
【０００１】
本発明は、スクリーン昇降装置においてスクリーンの摺動性能を向上する技術に関する。
【背景技術】
【０００２】
従来より、火災の発生時にスクリーンによって建物内の壁などの構造物に設けられた開口部を閉鎖し、炎や煙が開口部を通過するのを防止するスクリーン昇降装置が知られている。
【０００３】
このようなスクリーン昇降装置では、構造物の開口部を閉鎖可能なスクリーンと、スクリーンを開口部に沿って案内する一対のガイドレールと、を備えている。
また、このようなスクリーン昇降装置の中には、火災発生時にスクリーンの左右端がガイドレールから抜けるのを防止するよう構成されたものがある。具体的には、スクリーンの左右端には、抜け止め部がスクリーンの左右端を挟み込むよう取り付けられており、一方、ガイドレールには、スクリーンの左右端に取り付けられた抜け止め部に係止する係止部が設けられている。このことにより、スクリーンの左右端にガイドレールから抜けようとする力が作用しても、係止部が抜け止め部を係止することによりスクリーンの左右端がガイドレールから抜けるのを防止する（例えば、特許文献１参照。）。
【特許文献１】特開２００３−２４７３８３号公報（第６頁、図２）
【発明の開示】
【発明が解決しようとする課題】
【０００４】
しかし、上述のようなスクリーン昇降装置においては、スクリーンを移動させる際に、スクリーンの左右端に取り付けられた抜け止め部がガイドレールの内部に直接接触するため、スクリーンの摺動性能が悪くなるという問題があった。また、抜け止め部によってガイドレールの内部を傷つけてしまい、このことが原因でスクリーンの摺動性能が悪くなるおそれもある。
【０００５】
本発明は、このような不具合に鑑みなされたものであり、その目的とするところは、スクリーン昇降装置において、スクリーンの摺動性能を向上させる技術を提供することにある。
【課題を解決するための手段】
【０００６】
上記課題を解決するためになされた請求項１に係るスクリーン昇降装置（１：この欄においては、発明に対する理解を容易にするため、必要に応じて「発明を実施するための最良の形態」欄で用いた符号を付すが、この符号によって請求の範囲を限定することを意味するものではない。）は、構造物の開口部を閉鎖可能なスクリーン（１０）と、スクリーンを開口部に沿って案内する一対のガイドレール（３０，４０）と、を備えるスクリーン昇降装置であって、ガイドレールは、スクリーンの左右端（１１ｃ）を内包した状態で開口部に沿って案内するガイド溝（３１ｄ）を有する内レール（３１）と、内レールを収納して構造物に固定される外レール（３２，３３）と、を備え、ガイド溝は、その入口の開口幅がその内部よりも狭く形成されており、スクリーンの左右端には、その先端部を折り返すことによりガイド溝からスクリーンの左右端が外れるのを防止するための抜け止め部（１１ｃ）が形成されていることを特徴とする。
【０００７】
このような本発明によれば、スクリーンの左右端にはその先端部を折り返すことによりガイド溝から外れるのを防止するための抜け止め部が形成されているので、従来の抜け止め部よりも摩擦係数が小さい素材をスクリーンに採用すれば、従来のように抜け止め部がガイドレールの内部に接触する場合と比べて、スクリーンの摺動性能を向上させることができる。
【０００８】
また、このような本発明によれば、スクリーンの移動時にスクリーンの生地がガイドレールに接触するので、従来のように抜け止め部によってガイドレールの内部を傷つけてしまうことが原因でスクリーンの摺動性能が悪くなる、というおそれがない。
【０００９】
なお、上述の抜け止め部については、線状物を内包させることが考えられる（請求項２）。ここで、上述の線状物については、柔軟に曲げることができるとともに、引っ張り強度が強い素材にて構成されることが望ましく、その具体例としては、ワイヤなどの線材や、線状のゴム材、線状の発泡材などが挙げられる。このようにすれば、抜け止め部の強度を高めることができ、スクリーンの左右端がガイドレールのガイド溝から抜けにくくすることができる。
【００１０】
ところで、スクリーンの下端部に錘を取り付けることより、火災時などにスクリーンを落下させて開口部を閉鎖させるのに要する所要時間をスクリーンの下端部に錘を取り付けない場合に比べて短縮することができる。その際、スクリーン昇降装置が設置される場所に応じて錘の重量を調整できることが好ましい。そこで、スクリーンが、追加用錘を収納可能な錘を備えることが考えられる。具体的には、請求項３のように、構造物の開口部を閉鎖可能なスクリーンと、スクリーンを開口部に沿って案内する一対のガイドレールと、を備えるスクリーン昇降装置であって、スクリーンがその下端付近に錘を備えており、その錘が、その内部に追加用錘を収納可能な追加錘収納部を有することが考えられる。このようにすれば、スクリーン昇降装置が設置される場所に応じて錘の重量を調整することできる。また、スクリーンの摺動性能が向上するよう錘の重量を調整することできる。
【００１１】
上述の錘の構成としては、錘が、「錘本体」と錘本体を被覆する「錘本体被覆部」とを有し、錘本体被覆部が錘本体に対して着脱可能に構成されており、追加用錘部が、錘本体と錘本体被覆部との間に形成されていることが考えられる（請求項４）。この場合、錘本体被覆部を取り外して追加用錘を追加錘収納部に収納することや、錘本体被覆部の上部や側部などに開口部を設定し、その開口部から追加用錘を収納することなどが考えられる。このようにすれば、錘の重量を容易に調整することできる。
【００１２】
また、上述の錘本体被覆部については、他の部位と接触することを考慮して、樹脂などの柔らかい素材にて構成することが望ましい。
ところで、例えば火災時にスクリーンを落下させて開口部を閉鎖させた場合において取り残された人が存在するときには、その取り残された人を脱出させるためにスクリーンを持ち上げて開口部を開放させる必要がある。そこで、利用者がスクリーンを上方向へ移動させるための取手をスクリーンに設けることが考えられる。また、このような取手については、例えば帯状の生地の両端をスクリーンに対して縫製することによりループ状に形成することも考えられる。しかし、このようなループ状の取手は厚み寸法が大きいため、スクリーンを巻き取ったり折り畳んだりして収納する際にその取手が邪魔となるおそれがある。そこで、請求項５のように、上述の取手については、スクリーンと同一素材の生地をスクリーンに対して縫製することにより袋状に形成することが考えられる。このようにすれば、従来のループ状に形成した取手に比べてその厚み寸法が小さくなるので、スクリーンを巻き取ったり折り畳んだりして収納する際に取手が邪魔にはならず、スクリーンの摺動性能を向上させることができる。
【００１３】
この場合、上述の取手を、開口部を閉鎖した状態にあるスクリーンの左右方向の中央付近における利用者が屈んだ際に掴みやすい位置に形成することが考えられる（請求項６）。このようにすれば、利用者の利便性を向上させることができる。
【００１４】
ところで、上述のスクリーンについては、複数のシート材を縫製した構成を有することが考えられる。このようにすれば、所定間隔でシート材を重ね合わせて縫製した部分が形成されるので、この縫製部分によってスクリーンの強度を増加させるとともに、スクリーンに弛みが発生しにくくすることができる。
【００１５】
なお、上述のスクリーン昇降装置が、スクリーン収納部から引き出されたスクリーンに当接することによりそのスクリーンの進行方向を変更させ、一対のガイドレールへ案内するスクリーン支持部（２１）を備える場合において、複数のシート材のうち下側のシート材の上端部が、上側のシート材の下端部におけるスクリーン支持部側に位置するよう縫製されているときには、上側のスクリーンの下端部が、スクリーン収納部（２０）から引き出されたスクリーンを挟んでスクリーン支持部に対向する構成部位（５０）に引っ掛かってスクリーンの移動が妨げられるおそれがある。そこで、請求項７のように、スクリーンについては、複数のシート材のうち下側のシート材の上端部が、上側のシート材の下端部におけるスクリーン支持部とは反対側に位置するよう縫製されて構成されていることが考えられる。このようにすれば、上側のスクリーンの下端部が上述のような構成部位に引っ掛かりにくくすることができ、スクリーンの摺動性能を向上させることができる。
【発明を実施するための最良の形態】
【００１６】
以下に本発明の実施形態を図面と共に説明する。
［第一実施形態］
図１は第一実施形態のスクリーン昇降装置１の正面図である。また、図２はスクリーン１０を示す説明図であり、図３はスクリーン１０のウェイト１３を示す説明図であり、図４はスクリーン１０の取手１４を示す説明図であり、図５および図６はガイドレール３０を示す説明図であり、図７はスクリーン係止部３４を示す説明図であり、図８は目板５０を示す説明図であり、図９はガイドレール固定具９０を示す説明図である。また、図１２はスクリーン昇降装置１が取り付けられる構造物の開口面および壁面を示す説明図である。
【００１７】
なお、以降、このスクリーン昇降装置１において、スクリーン１０に対して右ガイドレール３０が配置されている側を「右側」とし、その反対側を「左側」とする(図１参照)。また、スクリーン昇降装置１において、スクリーンに対して目板５０が配置されている側を「上側」とし、その反対側を「下側」とする(図１参照)。また、スクリーン昇降装置１において、右側から左側を見た場合における右側を「前側」とし、その反対側を「後側」とする（図２（ｂ）参照)。
【００１８】
［スクリーン昇降装置１の構成の説明］
図１に示すように、本第一実施形態のスクリーン昇降装置１は、建物内に設置された壁などの構造物の開口部（図１２（ａ）参照）を閉鎖可能なスクリーン１０、スクリーン１０を収納可能なスクリーン収納部２０、ガイドローラ２１（図２（ｂ）参照）、遮煙ローラ２２（図２（ｂ）参照）、スクリーン１０を構造物の開口部に沿って上下方向に案内する右ガイドレール３０および左ガイドレール４０、目板５０、ラッチ６０、手動操作部８０およびガイドレール固定具９０を備えており、構造物の開口面（図１２（ａ）参照）や壁面（図１２（ｂ）参照）に取り付けられる。
【００１９】
［スクリーン１０の構成の説明］
このうちスクリーン１０は、図２（ａ）に示すように、複数の耐火シート１１から構成されている。具体的には、スクリーン１０は、幅約１２００ｍｍの細長い耐火シート１１をスクリーン昇降装置１の左右幅に合わせて裁断し、その裁断した耐火シート１１を横向きにして端部同士を、下側の耐火シート１１の上端部１１ａが上側の耐火シート１１の下端部１１ｂの後側になるよう縫製した構造を有している（図２（ｂ）参照）。また、スクリーン１０の端部１１ｃは、断面が略円形であるワイヤなどの線材１２を包み込むよう折り返されて縫製されている（図２（ｃ）参照）。なお、スクリーンの端部１１ｃは、抜け止め部に該当する。
【００２０】
また、図１に示すようにスクリーン１０の下部には、錘としてのウェイト１３が取り付けられている。このウェイト１３は、図３に示すように、２つの板状のウェイトベース１３ａおよび２つのウェイトカバー１３ｂから構成されている。２つのウェイトベース１３ａは、板材であり、スクリーン１０の下部へ両側から挟み込むよう取り付けられている。また、ウェイトカバー１３ｂは、断面が略コの字状の長尺材であり、スクリーン１０の下部へ取り付けられた２つのウェイトベース１３ａを両側から覆うようにスクリーン１０へビスなどによって取り付けられている。また、ウェイトカバー１３ｂについては、他の部位と接触することを考慮して、樹脂などの柔らかい素材にて構成されている。なお、ウェイトベース１３ａとウェイトカバー１３ｂとの間には、空間が形成されており、この空間に錘を追加することにより、ウェイト１３の重さを調節することができる。この場合、ウェイトカバー１３ｂの横側から錘を挿入してもよいし、ウェイトカバー１３ｂに開口部を設け、その開口部から錘を挿入するようにしてもよい。また、施工時にウェイトカバー１３ｂをスクリーン１０から取り外しておけば、ウェイトカバー１３ｂに傷や汚れが付くのを防ぐことができる。なお、施工時にウェイトカバー１３ｂとともにウェイトベース１３ａを取り外してもよい。
【００２１】
なお、ウェイトベース１３ａは錘本体に該当し、ウェイトカバー１３ｂは錘本体被覆部に該当し、ウェイトベース１３ａとウェイトカバー１３ｂとの間に形成される空間は追加錘収納部に該当する。
【００２２】
また、図１に示すようにスクリーン１０におけるウェイト１３の上方の中央部には、取手１４が形成されている。具体的には、この取手１４は、図４（ａ）および図４（ｂ）に示すように、スクリーン１０と同一素材の生地である略長方形の耐火シート１５をスクリーン１０に縫製することにより袋状に形成されている。なお、この取手１４の位置については、スクリーン１０を閉鎖した状態において使用者が屈んだ際にその取手１４に手を差し入れやすい高さに設定されている（図１参照）。なお、本第一実施形態では、取手１４は、スクリーン１０の下端から約４０ｃｍの場所に形成されている。
【００２３】
［右ガイドレール３０の構成の説明］
図５（ａ）に示すように右ガイドレール３０は、内レールとしてのコア３１、外レールの取付部材としてのベース３２、外レールの被覆部材としてのカバー３３、スクリーン係止部３４（図７参照）、目板支持用ブラケット３５などから構成されている。
【００２４】
［コア３１の構成の説明］
コア３１は、図５（ｃ）に示すように、断面が略コの字状のステンレス製の長尺材であり、中央部３１ａ、翼部３１ｂ，３１ｃから構成されており、その内部には、スクリーン１０の端部１１ｃをスクリーン昇降装置１の上下方向に案内するガイド溝３１ｄが形成されている。なお、ガイド溝３１ｄは、スクリーン１０の端部１１ｃとコア３１との気密性を高めて火災時に煙が構造物の開口部を通過するのを防ぐためになるべく深く形成することが望ましい。また、コア３１の翼部３１ｂ，３１ｃの各先端部には、図６（ｂ）に示すように、ガイド溝３１ｄの内部へ向けて直角よりも若干大きく折り曲げることによりベース係止部３１ｅおよびカバー係止部３１ｆがそれぞれ形成されている。このことによりガイド溝３１ｄは、その入口の開口幅がその内部よりも狭く形成されている。そして、ベース係止部３１ｅおよびカバー係止部３１ｆの各先端部には、ガイド溝３１ｄの内側へ向けて折り返されることにより折り返し部３１ｇ，３１ｈがそれぞれ形成されている。なお、折り返し部３１ｇと折り返し部３１ｈとの間の距離は、スクリーン１０の端部１１ｃとコア３１との気密性を高めて火災時に煙が開口部を通過するのを防ぐために、スクリーン１０の端部１１ｃの厚みよりも若干狭く設定されている。また、翼部３１ｂには複数のビス取付孔３１ｉが穿孔されており、翼部３１ｃには複数のビス取付孔３１ｊが穿孔されている。なお、このコア３１については、コア３１のガイド溝３１ｄを移動するスクリーン１０の端部１１ｃの摺動性能を確保するため、塗装は施されてはいない。
【００２５】
なお、ベース係止部３１ｅは、取付部材係止部に該当し、カバー係止部３１ｆは被覆部材係止部に該当する。
［ベース３２の構成の説明］
ベース３２は、図５（ｂ）に示すように、断面が略コの字状のステンレス製の長尺材であり、中央部３２ａ、翼部３２ｂ，３２ｃから構成されている。このうち中央部３２ａには、図６（ｃ）に示すように、コア３１を支持するための複数のブラケット３２ｄが溶接などにより取り付けられている。また、翼部３２ｂ，３２ｃの各先端部には、ベース３２の内部へ向けて直角に折り曲げることにより前側コア係止部３２ｅ，後側コア係止部３２ｆが形成されている。また、中央部３２ａには、複数の挿通孔３２ｇが穿孔されており、翼部３２ｃには、複数のビス取付孔３２ｈが穿孔されている。また、翼部３２ｂの前側コア係止部３２ｅには、スクリーン係止部３４を取り付けるための長孔３２ｉが穿孔されている（図７（ａ）参照）。また、翼部３２ｂの外表面には塗装が施されている。
【００２６】
［カバー３３の構成の説明］
カバー３３は、図５（ｄ）に示すように、断面が略Ｌ字状のステンレス製の長尺材であり、平板３３ａ，３３ｂから構成されている。このうち平板３３ａの先端部には、図６（ｄ）に示すように、カバー３３の内部へ向けて直角に折り曲げることにより折り返し部３３ｃが形成されている。また、折り返し部３３ｃの先端部には、さらにカバー３３の内部へ向けて直角に折り曲げることにより前側コア係止部３３ｄが形成されている。また、平板３３ａには、コア３１のビス取付孔３１ｉに連通する複数の挿通孔３３ｅが穿孔されており、平板３３ｂには、ベース３２のビス取付孔３２ｈに連通する複数の挿通孔３３ｆが穿孔されている。また、カバー３３の外表面には塗装が施されている。
【００２７】
［スクリーン係止部３４の構成の説明］
また、図７に示すように、ベース３２の下部には、落下したスクリーン１０が持ち上げられるのを防止するスクリーン係止部３４が取り付けられている。具体的には、スクリーン係止部３４は、略くの字状の弾性体であり、その一端３４ａがベース３２の中央部３２ａに固定され、中央部３４ｂが翼部３２ｂの前側コア係止部３２ｅに穿孔された長孔３２ｉから外部へ突出し、他端３４ｃが翼部３２ｂの前側コア係止部３２ｅの内面側に当接する姿勢でベース３２に取り付けられている。
【００２８】
［目板支持用ブラケット３５の構成の説明］
また、図８（ａ）に示すように、上述のベース３２の上部には、目板５０を支持するための目板支持用ブラケット３５が、ベース３２の翼部３２ｂから、左ガイドレール４０へ向けて突出するようビスなどによって取り付けられている。また、目板支持用ブラケット３５には、ビス取付孔３５ａが穿孔されている。
【００２９】
なお、図８では、右ガイドレール３０の目板支持用ブラケット３５の参考例として左ガイドレール４０の目板支持用ブラケット４５を例示し、右ガイドレール３０の目板支持用ブラケット３５については、左ガイドレール４０の目板支持用ブラケット４５とは左右対称であるので図示を省略する。また、目板支持用ブラケット３５は支持部に該当する。
【００３０】
［コア３１、ベース３２およびカバー３３の組み立て手順の説明］
以上のような右ガイドレール３０のコア３１、ベース３２およびカバー３３については、次のように組み立てられている。すなわち、まずベース３２を、挿通孔３２ｇを貫通させたビスなどで構造物の開口面や壁面へ取り付ける。次に、コア３１を、コア３１の翼部３１ｂがベース３２の中央部３２ａに対向する姿勢とし、コア３１の翼部３１ｂがベース３２のブラケット３２ｄに当接するまでコア３１をベース３２の方へ移動させる。このとき、コア３１のベース係止部３１ｅが、ベース３２の前側コア係止部３２ｅに当接し、ベース３２の後側コア係止部３２ｆが、コア３１の中央部３１ａに当接する。さらに、カバー３３を、カバー３３の翼部３３ａの内表面がコア３１の翼部３１ｃに対向する姿勢とし、カバー３３の翼部３３ａの内表面がコア３１の翼部３１ｃに当接するまでカバー３３をコア３１の方へ移動させる。このとき、コア３１のカバー係止部３１ｆが、カバー３３の前側コア係止部３３ｄに当接する。そして、カバー３３の挿通孔３３ｅを貫通させたビスなどをコア３１のビス取付孔３１ｉに取り付け、カバー３３の挿通孔３３ｆを貫通させたビスなどをベース３２のビス取付孔３２ｈに取り付ける（図５（ａ）および図６（ａ）参照）。この際、ベース係止部３１ｅが、ベース３２を係止することによりベース３２がコア３１から離間するのを防止し、カバー係止部３１ｆが、カバー３３を係止することによりカバー３３がコア３１から離間するのを防止する。このことにより外レールと内レールとが互いに係止し合う。
【００３１】
［スクリーン収納部２０の構成の説明］
図１に示すようにスクリーン収納部２０は、スクリーン１０を巻き取り可能なドラムを備え、このドラムを回転させることによりスクリーン１０を収納可能に構成されている。
また、スクリーン収納部２０に収納されたスクリーン１０は、ドラムを回転させることにより引き出すことも可能である。なお、スクリーン収納部２０の各部構成については、公知技術にしたがっているのでここでは詳細な説明は省略する。
【００３２】
［左ガイドレール４０の構成の説明］
左ガイドレール４０は、右ガイドレール３０と同様に、コア、ベース、カバー、スクリーン係止部、目板支持用ブラケットなどから構成されている。なお、左ガイドレール４０の各部については、右ガイドレール３０の各部とは左右対称に構成されているので、ここでは詳細な説明は省略する。
【００３３】
［目板５０の構成の説明］
図８（ｂ）に示すように目板５０は、ステンレス製の長尺材であり、その両端が右ガイドレール３０のベース３２とカバー３３との間に形成された空間、および左ガイドレール４０のベース４２とカバー４３との間に形成された空間に挿入されている。また、目板５０の両端は、右ガイドレール３０の目板支持用ブラケット３５および左ガイドレール４０の目板支持用ブラケット４５によって支持されている。また、図８（ａ）に示すように、目板５０には、目板支持用ブラケット３５に穿孔されたビス取付孔３５ａに連通する２つの挿通孔５１が穿孔されており、これら挿通孔５１を貫通したビスなどが目板支持用ブラケット３５のビス取付孔３５ａに取り付けられることにより、この目板５０によって右ガイドレール３０と左ガイドレール４０が連結されている（図８（ｂ）参照）。なお、目板５０は連結部材に該当する。
【００３４】
［ガイドローラ２１および遮煙ローラ２２の構成の説明］
図２（ｂ）に示すようにガイドローラ２１は、目板５０に対向して配置され、スクリーン収納部２０から引き出されたスクリーン１０に当接して支持することによりそのスクリーン１０の進行方向を変更してガイドレールへ案内する。
【００３５】
また、遮煙ローラ２２は、ガイドローラ２１の下方に配置され、スクリーン収納部２０から引き出されたスクリーン１０に当接して支持することにより煙が構造物の開口部を通過するのを防止する。
【００３６】
なお、ガイドローラ２１は、スクリーン支持部に該当する。
［ラッチ６０の構成の説明］
また、図１に示すように目板５０の前面にはラッチ６０が取り付けられている。このラッチ６０は、スクリーン収納部２０に収納されたスクリーン１０の落下を阻止するよう構成されている。また、ラッチ６０は、遠隔操作用ケーブルなどによって手動操作部８０に接続されており、手動操作部８０が使用者によって操作された場合には、スクリーン収納部２０に収納されたスクリーン１０を落下させるよう構成されている。なお、ラッチ６０の各部構成については、公知技術にしたがっているのでここでは詳細な説明は省略する。
【００３７】
［手動操作部８０の構成の説明］
図１に示すように手動操作部８０は、フレキシブルコンジットの内部にワイヤーロープを通した構造を有する遠隔操作用ケーブル（図示省略）を介してラッチ６０を操作することができる。なお、手動操作部８０の各部構成については、公知技術にしたがっているのでここでは詳細な説明は省略する。
【００３８】
［ガイドレール固定具９０の構成の説明］
また、ガイドレール固定具９０は、図９（ａ）に示すように、平板９１の上面に断面が略コの字状のブラケット９２を取り付けることで構成されている。このうち平板９１の両端部には２つの挿通孔９１ａが穿孔されており、ビスなどによって床面に固定することができる。また、ブラケット９２は、右ガイドレール３０のコア３１や左ガイドレール４０のコアに下方から挿入可能に形成されている。
【００３９】
以上のように構成されたガイドレール固定具９０は、右ガイドレール３０および左ガイドレール４０が設置される床面にビスなどによって予め取り付けておき、ブラケット９２を右ガイドレール３０および左ガイドレール４０のコア３１，４１に挿入することにより、右ガイドレール３０および左ガイドレール４０の設置に用いられる。
【００４０】
なお、ガイドレール固定具９０は、図９（ａ）に示すように右ガイドレール３０用のものと左ガイドレール４０用のものとを別体に構成してもよいし、図９（ｂ）に示すように一体に構成してもよい（図９（ｂ）のガイドレール固定具１９０を参照。）。
【００４１】
［スクリーン昇降装置１の動作の説明］
次に、スクリーン昇降装置１の動作を、図１を参照して説明する。なお、以下の説明において、左ガイドレール４０については、右ガイドレール３０と同様なので詳細な説明は省略する。
【００４２】
まず、スクリーン１０がスクリーン収納部２０に収納された場合において手動操作部８０を使用者が操作すると、遠隔操作用ケーブル７０を介してラッチ６０が解除され、スクリーン１０が右ガイドレール３０および左ガイドレール４０のコア３１に案内されて落下する。落下するスクリーン１０のウェイト１３がスクリーン係止部３４に当接し、そのスクリーン係止部３４を一時的に変形させて乗り越え、スクリーン１０の下部が床面に到達すると、建物内に設置された壁などの開口部がスクリーン１０によって閉鎖され、火災時の煙を遮断することができる。また、火災時の気流や炎などが壁などの開口部を通過しようとしてスクリーン１０に圧力が作用しても、スクリーンのウェイト１３がスクリーン係止部３４によって当接するので、スクリーン１０が上昇するのを防ぐことができる。
【００４３】
一方、建物内に設置された壁などの開口部を開放する場合には、スクリーン１０の取手１４を利用してスクリーン１０を持ち上げる。すると、スクリーン１０は、右ガイドレール３０コア３１に案内されて上昇し、スクリーン収納部２０に収納される。上昇するスクリーン１０のウェイト１３がスクリーン係止部３４に当接し、スクリーン係止部３４を一時的に変形させて乗り越え、スクリーン１０の下部がラッチ６０に到達したらラッチ６０を復帰させてスクリーン１０が落下しないようにする。また、手動操作部８０を復帰させて次の操作に備える。
【００４４】
［効果］
このような第一実施形態のスクリーン昇降装置１によれば、スクリーン１０の端部１１ｃが、断面が略円形であるワイヤなどの線材１２を包み込むよう折り返されて縫製されているので、従来の抜け止め部よりも摩擦係数が小さい素材をスクリーンに採用すれば、従来のように抜け止め部がガイドレールの内部に接触する場合と比べて、スクリーンの摺動性能を向上させることができる。
【００４５】
また、第一実施形態のスクリーン昇降装置１によれば、スクリーン１０の移動時にはスクリーン１０の生地がガイドレール３０，４０（なお、以下の説明では、図５に示された右ガイドレール３０に関する符号を付す。）のガイド溝３１ｄに接触するので、従来のような抜け止め部によってガイドレールの内部を傷つけてしまうことが原因でスクリーンの摺動性能が悪くなる、というおそれがない。
【００４６】
また、第一実施形態のスクリーン昇降装置１によれば、スクリーン１０については、幅約１２００ｍｍの細長い耐火シート１１をスクリーン昇降装置１の左右幅に合わせて裁断し、その裁断した耐火シート１１を横向きにして端部同士を、下側の耐火シート１１の上端部１１ａが上側の耐火シート１１の下端部１１ｂの後側になるよう縫製した構造を有している。このことにより、所定間隔で耐火シート１１を重ね合わせて縫製した部分が形成されるので、この縫製部分によってスクリーン１０の強度を増加させるとともに、スクリーン１０に弛みが発生しにくくすることができる。
【００４７】
また、第一実施形態のスクリーン昇降装置１によれば、スクリーン１０については、上述のように裁断した耐火シート１１を横向きにして端部同士を、下側の耐火シート１１の上端部１１ａが上側の耐火シート１１の下端部１１ｂの後側になるよう縫製しているので、上側の耐火シート１１の下端部１１ｂが、スクリーン収納部２０から引き出されたスクリーン１０を挟んでガイドローラ２１に対向する目板５０に引っ掛かりにくくすることができ、スクリーン１０の摺動性能を向上させることができる。
【００４８】
また、第一実施形態のスクリーン昇降装置１によれば、スクリーン１０の下部にはウェイト１３が取り付けられているので、火災時などにスクリーン１０を落下させて開口部を閉鎖させるのに要する所要時間をスクリーン１０の下端部にウェイト１３を取り付けない場合に比べて短縮することができ、スクリーン１０の摺動性能を向上させることができる。
【００４９】
また、第一実施形態のスクリーン昇降装置１によれば、ウェイト１３が、２つの板状のウェイトベース１３ａおよび２つのウェイトカバー１３ｂから構成されており、ウェイトベース１３ａとウェイトカバー１３ｂとの間には、空間が形成されているので、この空間に錘を追加することにより、スクリーン昇降装置１が設置される場所に応じてウェイト１３の重さを調節することができる。また、スクリーン１０の摺動性能が向上するようウェイト１３の重さを調整することできる。
【００５０】
また、ウェイトカバー１３ｂが、断面が略コの字状の長尺材であり、スクリーン１０の下部へ取り付けられた２つのウェイトベース１３ａを両側から覆うようにスクリーン１０へ取り付けられている。このことにより、ウェイトカバー１３ｂを取り外して追加用錘をウェイトベース１３ａとウェイトカバー１３ｂとの間の空間に収納することができ、ウェイト１３の重量を容易に調整することができる。
【００５１】
また、このように第一実施形態のスクリーン昇降装置１によれば、取手１４がスクリーン１０の中央部に形成されているので、利用者が片手でもスクリーン１０をこじることなくスムーズに持ち上げることができ、利用者の利便性を向上させることができる。
【００５２】
また、このように第一実施形態のスクリーン昇降装置１によれば、取手１４が、スクリーン１０と同一素材の生地である略長方形の耐火シート１５をスクリーン１０に縫製することにより袋状に形成されているので、従来のループ状に形成した取手に比べてその厚み寸法が小さくなり、スクリーン１０をスクリーン収納部２０へ収納する際に取手１４が邪魔にはならず、スクリーン１０の摺動性能を向上させることができる。
【００５３】
［他の実施形態］
以上、本発明の一実施形態について説明したが、本発明は上記実施形態に限定されるものではなく、以下のような様々な態様にて実施することが可能である。
【００５４】
（１）上記第一実施形態の各ガイドレールにおいては、コア、ベースおよびカバーを、ビスなどを用いて組み立てるよう構成されているが、これには限られず、図１１に例示する右ガイドレール１３０のように、ビスなどを用いずに組み立てるよう構成してもよい。以下に右ガイドレール１３０の各部の構成について説明する。なお、左ガイドレール１４０の各部については、右ガイドレール１３０の各部とは左右対称に構成されているので、ここでは詳細な説明は省略する。
【００５５】
［右ガイドレール１３０の構成の説明］
図１１（ａ）に例示するように右ガイドレール１３０は、内レールとしてのコア３１（図５（ｃ）および図１１（ｃ）参照）、外レールの取付部材としてのベース１３２、外レールの被覆部材としてのカバー１３３、スクリーン係止部３４（図７参照）、目板支持用ブラケット３５（図８参照）などから構成されている。なお、コア３１、スクリーン係止部３４および目板支持用ブラケット３５については、上記第一実施形態と同様なのでここでは詳細な説明は省略する。
【００５６】
［ベース１３２の構成の説明］
ベース１３２は、図１１（ｂ）に示すように、上記第一実施形態のベース３２と同様に、断面が略コの字状のステンレス製の長尺材であり、中央部１３２ａ、翼部１３２ｂ，１３２ｃから構成されている。このうち中央部１３２ａには、コア３１を支持するための複数のブラケット１３２ｄが溶接などによって取り付けられている。また、翼部１３２ｂ，１３２ｃの各先端部には、ベース１３２の内部へ向けて直角に折り曲げることにより前側コア係止部１３２ｅ，後側コア係止部１３２ｆが形成されている。また、中央部１３２ａと翼部１３２ｃとの境界部分には、カバー係止部１３２ｉが形成されている。また、翼部１３２ｂの前側コア係止部１３２ｅには、スクリーン係止部３４を取り付けるための長孔が穿孔されている（図示省略）。また、翼部１３２ｂの外表面には塗装が施されている。
【００５７】
［カバー１３３の構成の説明］
カバー１３３は、図１１（ｄ）に示すように、上記第一実施形態のカバー３３と同様に断面が略Ｌ字状のステンレス製の長尺材であり、平板１３３ａ，１３３ｂから構成されている。このうち平板１３３ａの先端部には、カバー１３３の内部へ向けて直角に折り曲げることにより折り返し部１３３ｃが形成されている。また、折り返し部１３３ｃの先端部には、さらにカバー１３３の内部へ向けて直角に折り曲げることにより前側コア係止部１３３ｄが形成されている。また、平板１３３ｂの先端部には、さらにカバー１３３の内部へ向けて直角に折り曲げることによりベース係止部１３３ｇが形成されている。また、カバー３３の外表面には塗装が施されている。
【００５８】
［コア３１、ベース１３２およびカバー１３３の組み立て手順の説明］
以上のような右ガイドレール１３０のコア３１、ベース１３２およびカバー１３３については、次のように組み立てられている。すなわち、まずベース１３２を、挿通孔１３２ｇを貫通させたビスなどで構造物の開口面や壁面へ取り付ける。次に、コア３１を、コア３１の翼部３１ｂがベース１３２の中央部１３２ａに対向する姿勢とし、コア３１の翼部３１ｂがベース１３２のブラケット１３２ｄに当接するまでコア３１をベース１３２の方へ移動させる。このとき、コア３１のベース係止部３１ｅが、ベース１３２の前側コア係止部１３２ｅに当接し、ベース１３２の後側コア係止部１３２ｆが、コア３１の中央部３１ａに当接する。さらに、カバー１３３を、カバー１３３の翼部１３３ａの内表面がコア３１の翼部３１ｃに対向する姿勢とし、カバー１３３の翼部１３３ａの内表面がコア３１の翼部３１ｃに当接するまでカバー１３３をコア３１の方へ移動させ、カバー１３３のベース係止部１３３ｇをベース１３２のカバー係止部１３２ｉに係止させる。このとき、コア３１のカバー係止部３１ｆがカバー１３３の前側コア係止部１３３ｄに当接し、カバー１３３のベース係止部１３３ｇがベース１３２のカバー係止部１３２ｉと係合する。この際、ベース係止部３１ｅが、ベース１３２を係止することによりベース１３２がコア３１から離間するのを防止し、カバー係止部３１ｆが、カバー１３３を係止することによりカバー１３３がコア３１から離間するのを防止する。この際、ベース係止部３１ｅが、ベース１３２を係止することによりベース１３２がコア３１から離間するのを防止し、カバー係止部３１ｆが、カバー１３３を係止することによりカバー１３３がコア３１から離間するのを防止する。
【００５９】
このことにより、各ガイドレールが内レールと外レールとに分割され、外レールがベース３２とカバー３３とに分割されていてもこれら各部材が互いに係止し合うので、施工時などにガイドレールに作用するねじり応力に対する強度を高めることができる。また、ビスなどを用いない分部品加工工数や組立て工数を低減することができる。
【００６０】
（２）上記第一実施形態では、スクリーン１０の端部１１ｃには、断面が略円形であるワイヤなどの線材１２が包み込まれているが、これには限られず、柔軟に曲げることができるとともに、引っ張り強度が強い素材であれば、他の線状物でもよい。一例を挙げると、線状のゴム材や線状の発泡材などである。このように構成しても上記第一実施形態と同様の作用効果を奏する。
【００６１】
（３）上記第一実施形態では、ウェイトカバー１３ｂが、スクリーン１０の下部へ取り付けられた２つのウェイトベース１３ａを両側から覆うようにスクリーン１０へ取り付けられているが、これには限られず、追加用錘をウェイトベース１３ａとウェイトカバー１３ｂとの間の空間に収納することができれば、他の構造としてもよい。一例を挙げると、ウェイトカバー１３ｂの上部や側部などに開口部を設定し、その開口部から追加用錘を収納するといった具合である。このように構成しても上記第一実施形態と同様の作用効果を奏する。
【００６２】
（４）上記第一実施形態では、取手１４がスクリーン１０の中央部に形成されているが、これには限られず、図４（ｃ）に例示するように、スクリーン１０の中央部以外の場所に、上述の耐火シート１５を縫製することにより２つの取手１１４を形成するようにしてもよい。また、図４（ｄ）に例示するように、上述のようにスクリーン１０の中央部に形成された取手１１５を、縦方向に形成された縫い目１１５ａによって２つの袋１１５ｂに分割するよう構成してもよい。また、図４（ｅ）に例示するように、上述のようにスクリーン１０の中央部に形成された取手１１６を、横方向に形成された縫い目１１６ａによって２つの袋１１６ｂに分割するよう構成してもよい。
【００６３】
（５）また、図１０に示すように、右ガイドレール１３０の内部に手動操作部８０を収納するための空間を確保することにより、右ガイドレール１３０に手動操作部８０を取り付けることもできる。具体的には、この手動操作部８０は、その操作部８１が右ガイドレール１３０のカバー１３３に設けられた開口部１３４から外部に露出するよう右ガイドレール１３０の内部に設置されている。このようにすれば、手動操作部８０全体を右ガイドレールの外部に配置する場合に比べて、外観を向上させることができる。
【００６４】
（６）上記第一実施形態のスクリーン昇降装置１においては、各ガイドレールがスクリーン昇降装置１の左右に配置され、スクリーン１０がガイドレールに案内されて上下方向に移動可能に構成されているが、これには限られず、各ガイドレールをスクリーン昇降装置１の上下に配置し、スクリーン１０をガイドレールに案内されて左右方向に移動させるよう構成してもよい。なおこの場合、スクリーン１０に対してガイドレールが配置されている方向を「スクリーンの幅方向」とし、「スクリーンの幅方向の端部」が、特許請求の範囲における「スクリーンの左右端」に該当するものとする。
【図面の簡単な説明】
【００６５】
【図１】第一実施形態のスクリーン昇降装置の正面図である。
【図２】（ａ）はスクリーンを示す説明図であり、（ｂ）はスクリーンを構成する耐火シートの縫製状態を示す説明図であり、（ｃ）はスクリーンの端部を示す説明図である。
【図３】スクリーンのウェイトを示す説明図である。
【図４】（ａ）はスクリーンの取手を示す説明図（１）であり、（ｂ）はスクリーンの取手を示す説明図（２）であり、（ｃ）はスクリーンの取手の他の実施形態を示す説明図（１）であり、（ｄ）はスクリーンの取手の他の実施形態を示す説明図（２）であり、（ｅ）はスクリーンの取手の他の実施形態を示す説明図（３）である。
【図５】（ａ）は第一実施形態のガイドレールを示す説明図（１）であり、（ｂ）はベースを示す説明図（１）であり、（ｃ）はコアを示す説明図（１）であり、（ｄ）はカバーを示す説明図（１）である。
【図６】（ａ）はガイドレールを示す説明図（２）であり、（ｂ）はコアを示す説明図（２）であり、（ｃ）はベースを示す説明図（２）であり、（ｄ）はカバーを示す説明図（２）である。
【図７】（ａ）はスクリーン係止部を示す説明図（１）であり、（ｂ）はスクリーン係止部を示す説明図（２）である。
【図８】（ａ）は目板を示す説明図（１）であり、（ｂ）は目板を示す説明図（２）である。
【図９】（ａ）はガイドレール固定具を示す説明図であり、（ｂ）はガイドレール固定具の他の実施形態を示す説明図である。
【図１０】手動操作部を他の実施形態のガイドレールに取り付けた様子を示す説明図である。
【図１１】（ａ）は他の実施形態のガイドレールを示す説明図であり、（ｂ）は他の実施形態のベースを示す説明図であり、（ｃ）は他の実施形態のコアを示す説明図であり、（ｄ）は他の実施形態のカバーを示す説明図である。
【図１２】スクリーン昇降装置が取り付けられる構造物の開口面および壁面を示す説明図であり、（ａ）はスクリーン昇降装置が構造物の開口面に取り付けられた様子を示した図であり、（ｂ）はスクリーン昇降装置が構造物の壁面に取り付けられた様子を示した図である。
【符号の説明】
【００６６】
１…スクリーン昇降装置、１０…スクリーン、１１…耐火シート、１１ｃ…耐火シートの端部、１２…線材１２、１３…ウェイト、１４…取手、２０…スクリーン収納部、２１…ガイドローラ、２２…遮煙ローラ、３０…右ガイドレール、３１…コア、３１ｄ…ガイド溝、３２…ベース、３３…カバー、４０…左ガイドレール、５０…目板、６０…ラッチ、８０…手動操作部、９０…ガイドレール固定具
【図１】
2006063739.tif 000003
【図２】
2006063739.tif 000004
【図３】
2006063739.tif 000005
【図４】
2006063739.tif 000006
【図５】
2006063739.tif 000007
【図６】
2006063739.tif 000008
【図７】
2006063739.tif 000009
【図８】
2006063739.tif 000010
【図１０】
2006063739.tif 000011
【図１１】
2006063739.tif 000012
【図１２】
2006063739.tif 000013
【図９】
2006063739.tif 000014